(57)【要約】【課題】計器内に照明用の光源を配置せずに計器内の被照明部を照明することができ、そのため、光源の発熱による計器内温度の昇温を防止することができる計器用照明装置を提供すること。【解決手段】計器２０とは別体で計器２０から離れた位置に配置される灯火装置１０と計器２０との間に配索されて、灯火装置１０内の光源１１の出射する照明光の一部を計器２０に導く第１の導光用光ファイバ５０と、基端が第１の導光用光ファイバ５０の計器２０側の端部に接続されると共に先端が計器２０内の照明が必要な被照明部に向けられ、第１の導光用光ファイバ５０内を伝送された照明光を被照明部に照射する第２の導光用光ファイバ６０と、を備える。【選択図】図２
2015020577.tif 000002
【特許請求の範囲】
【請求項１】
計器とは別体で前記計器から離れた位置に配置される灯火装置と前記計器との間に配索されて、前記灯火装置内の光源が出射する照明光の一部を前記計器に導く第１の導光用光ファイバと、
基端が前記第１の導光用光ファイバの前記計器側の端部に接続されると共に先端が前記計器内の照明が必要な被照明部に向けられ、前記第１の導光用光ファイバ内を伝送された照明光を前記被照明部に照射する第２の導光用光ファイバと、
を備えたことを特徴とする計器用照明装置。
【請求項２】
前記灯火装置は車両の前照灯であり、前記計器は前記車両のインストルメントパネルに配置される計器であることを特徴とする請求項１に記載の計器用照明装置。
【請求項３】
前記第１の導光用光ファイバは、前記灯火装置と前記計器との間に配索されるワイヤハーネスに組み込まれていることを特徴とする請求項１又は２に記載の計器用照明装置。
【発明の詳細な説明】
【技術分野】
【０００１】
本発明は、計器内の被照明部を照明する計器用照明装置に関する。
【背景技術】
【０００２】
図４は、下記特許文献１に開示された計器用照明装置を示している。
この計器用照明装置１１０は、計器内の文字板２１０を照明するもので、計器の筐体内に配置される光源１１１と、該光源１１１の出射する照明光を文字板２１０側に導く複数本の光ファイバ１１２と、各光ファイバ１１２の先端に装備されて光ファイバ１１２内を伝送された照明光を拡散光として出射する散乱キャップ１１３と、を備えている。
【０００３】
複数の散乱キャップ１１３は、文字板２１０上の略全域で同等の照度が得られるように、配置が設定されている。
【先行技術文献】
【特許文献】
【０００４】
【特許文献１】特開昭５９−８９４７５号公報
【発明の概要】
【発明が解決しようとする課題】
【０００５】
ところで、特許文献１の計器用照明装置１１０では、計器の筐体内に配置されている光源１１１の発熱が、計器内の温度を昇温させる。そのため、計器の筐体に放熱対策を施しておかないと、光源１１１の発熱によって計器内が過昇温となるおそれがあった。
【０００６】
そこで、本発明の目的は、上記課題を解消することに係り、計器内に照明用の光源を配置せずに計器内の被照明部を照明することができ、そのため、光源の発熱による計器内温度の昇温を防止することができる計器用照明装置を提供することにある。
【課題を解決するための手段】
【０００７】
本発明の前述した目的は、下記の構成により達成される。
（１）  計器とは別体で前記計器から離れた位置に配置される灯火装置と前記計器との間に配索されて、前記灯火装置内の光源が出射する照明光の一部を前記計器に導く第１の導光用光ファイバと、
基端が前記第１の導光用光ファイバの前記計器側の端部に接続されると共に先端が前記計器内の照明が必要な被照明部に向けられ、前記第１の導光用光ファイバ内を伝送された照明光を前記被照明部に照射する第２の導光用光ファイバと、
を備えたことを特徴とする計器用照明装置。
【０００８】
（２）  前記灯火装置は車両の前照灯であり、前記計器は前記車両のインストルメントパネルに配置される計器であることを特徴とする上記（１）に記載の計器用照明装置。
【０００９】
（３）  前記第１の導光用光ファイバは、前記灯火装置と前記計器との間に配索されるワイヤハーネスに組み込まれていることを特徴とする上記（１）又は（２）に記載の計器用照明装置。
【００１０】
上記（１）の構成によれば、計器の被照明部を照明するための光源は、計器とは別体で計器から離れた位置に配置される灯火装置内の光源であり、計器内に照明用の光源を配置せずに計器内の被照明部を照明することができる。そのため、光源の発熱による計器内温度の昇温を防止することができる。
【００１１】
また、光源が切れて、光源の交換が必要となった場合でも、複雑な構造の計器の分解が不要で、計器用照明装置の保守管理を容易にすることができる。
【００１２】
上記（２）の構成によれば、車両のインストルメントパネルに配置される計器内の被照明部への照明に、計器とは別体の灯火装置内の光源を利用するため、インストルメントパネルに配置される計器内に光源を装備する必要が無くなる。そして、インストルメントパネルに配置される計器内温度が光源の発熱によって昇温することを回避することができる。
【００１３】
また、計器内の照明が車両の前照灯の点灯に連動するため、当該計器用照明装置は、車両の前照灯内のバルブ（光源）のフィラメント切れを検知する手段として利用することもできる。
【００１４】
上記（３）の構成によれば、第１の導光用光ファイバ５０が、ワイヤハーネス５に組み込まれる。そのため、ワイヤハーネスの配索作業が、第１の導光用光ファイバの配索作業を兼ねていて、第１の導光用光ファイバの単独での配索作業が不要になる。そのため、計器用照明装置の装着作業を軽減することができる。
【００１５】
また、第１の導光用光ファイバがワイヤハーネスに組み込まれていて、例えば、ワイヤハーネスを構成する電線束が保護チューブに収容される構成の場合、ワイヤハーネスの保護チューブが第１の導光用光ファイバを保護する保護部材として機能し、第１の導光用光ファイバの単独での保護対策が不要となり、第１の導光用光ファイバの保護が図り易い。
【発明の効果】
【００１６】
本発明による計器用照明装置によれば、計器内に照明用の光源を配置せずに計器内の被照明部を照明することができ、そのため、光源の発熱による計器内温度の昇温を防止することができる計器用照明装置を提供すること。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明に係る計器用照明装置の一実施形態を搭載した車両の前部の平面図である。
【図２】図１に示した計器用照明装置の概略構成図である。
【図３】図２のＡ−Ａ線に沿う断面図である。
【図４】従来の計器用照明装置の概略構成図である。
【発明を実施するための形態】
【００１９】
以下、本発明に係る計器用照明装置の好適な実施形態について、図面を参照して詳細に説明する。
【００２０】
図１〜図３は本発明に係る計器用照明装置の一実施形態を示したもので、図１は本発明に係る計器用照明装置の一実施形態を搭載した車両の前部の平面図、図２は図１に示した計器用照明装置の概略構成図、図３は図２のＡ−Ａ線に沿う断面図である。
【００２１】
この一実施形態の計器用照明装置１は、図１及び図２に示すように、車両２の前照灯１０内のヘッドランプバルブ１１の出射する照明光の一部を、当該車両２のインストルメントパネル３に配置される計器２０内の被照明部に導いて、前記被照明部を照明する。
【００２２】
前照灯１０は、車両に搭載される灯火装置の一つであり、出射する光量が最も多い灯火装置である。また、前照灯１０は、計器２０とは別体で、計器２０から離れた位置に配置される灯火装置である。
【００２３】
ヘッドランプバルブ１１は、前照灯１０内に配置されて照明光を出射する光源である。このヘッドランプバルブ１１の出射する照明光の大半は、前照灯１０内に配置されている反射板１２によって、車両２の前方側に照射される。
【００２４】
計器２０は、前照灯１０から離れた位置である運転席前部のインストルメントパネル３内に配置される速度計や回転計などの計器である。そして、計器２０内の被照明部は、例えば、計器２０内において照明が必要とされる文字板や、指針、などである。
【００２５】
本実施形態の計器用照明装置１は、図２に示すように、前照灯１０内に配置される受光部４０と、第１の導光用光ファイバ５０と、複数の第２の導光用光ファイバ６０と、を備えている。
【００２６】
受光部４０は、前照灯１０内のヘッドランプバルブ１１と反射板１２との間に配置されて、ヘッドランプバルブ１１の出射する照明光の一部を受光する。受光部４０としては、例えば、広角で照明光を収集する集光レンズを使用することができる。
【００２７】
第１の導光用光ファイバ５０は、一端が受光部４０に繋がると共に、前照灯１０と計器２０との間に配索される。この第１の導光用光ファイバ５０は、受光部４０が受光した照明光を、計器２０に導く。
【００２８】
本実施形態の場合、第１の導光用光ファイバ５０は、図２及び図３に示すように、前照灯１０と計器２０との間に配索されるワイヤハーネス５に組み込まれている。
【００２９】
ワイヤハーネス５に組み込まれる第１の導光用光ファイバ５０は、ワイヤハーネス５を構成する電線群５ａと一緒に結束される。また、第１の導光用光ファイバ５０は、必要に応じて、電線群５ａと一緒に保護チューブ６に収容されて、曲げや衝撃から保護される。
【００３０】
複数の第２の導光用光ファイバ６０は、図２に示すように、基端が第１の導光用光ファイバ５０の計器２０側の端部に接続されると共に、先端が計器２０内の照明が必要な被照明部に向けられる。それぞれの第２の導光用光ファイバ６０は、第１の導光用光ファイバ５０内を伝送された照明光を、被照明部に照射する。
【００３１】
以上に説明した一実施形態の計器用照明装置１では、計器２０の被照明部を照明するための光源であるヘッドランプバルブ１１は、計器２０とは別体で計器２０から離れた位置に配置される前照灯１０内の光源であり、計器２０内に照明用の光源を配置せずに計器２０内の被照明部を照明することができる。そのため、光源の発熱による計器２０内温度の昇温を防止することができる。
【００３２】
また、計器用照明の故障についても、原因はヘッドランプバルブ１１のフィラメント切れであることが殆どであり、復旧にはヘッドランプバルブを交換すればよい。このため、複雑な構造の計器２０の分解が不要で、計器用照明装置１の保守管理を容易にすることができる。
【００３３】
また、一実施形態の計器用照明装置１は、車両２のインストルメントパネル３に配置される計器２０内の被照明部への照明に前照灯１０内の光源（ヘッドランプバルブ１１）を利用するため、インストルメントパネル３に配置される計器２０内に光源を装備する必要が無くなる。そして、インストルメントパネル３に配置される計器２０内温度が光源の発熱によって昇温することを回避することができる。
【００３４】
また、計器２０内の照明が車両２の前照灯１０の点灯に連動するため、当該計器用照明装置１は、車両２の前照灯１０内のヘッドランプバルブ１１のフィラメント切れを検知する手段として利用することもできる。
【００３５】
また、一実施形態の計器用照明装置１は、第１の導光用光ファイバ５０が、ワイヤハーネス５に組み込まれる。そのため、ワイヤハーネス５の配索作業が、第１の導光用光ファイバ５０の配索作業を兼ねていて、第１の導光用光ファイバ５０の単独での配索作業が不要になる。そのため、計器用照明装置１の装着作業を軽減することができる。
【００３６】
また、第１の導光用光ファイバ５０がワイヤハーネス５に組み込まれていて、例えば、図３に示したようにワイヤハーネス５を構成する電線束が保護チューブ６に収容される構成の場合、ワイヤハーネス５の保護チューブ６が第１の導光用光ファイバ５０を保護する保護部材として機能し、第１の導光用光ファイバ５０の単独での保護対策が不要となり、第１の導光用光ファイバ５０の保護が図り易い。
【００３７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３８】
例えば、本発明の計器用照明装置は、計器とは別体で計器から離れた位置に配置される灯火装置と計器とを備えた機器や設備であれば、車両に限らず搭載可能である。
【００３９】
また、本発明の計器用照明装置において、灯火装置内に配置される受光部は、独立した光学部品ではなくとも良い。例えば、第１の導光用光ファイバ５０の端面自体を受光部として利用することも考えられる。
【００４０】
ここで、上述した本発明に係る計器用照明装置の実施形態の特徴をそれぞれ以下［１］〜［３］に簡潔に纏めて列記する。
【００４１】
［１］  計器（２０）とは別体で前記計器（２０）から離れた位置に配置される灯火装置（１０）と前記計器（２０）との間に配索されて、前記灯火装置（１０）内の光源（１１）が出射する照明光の一部を前記計器（２０）に導く第１の導光用光ファイバ（５０）と、
基端が前記第１の導光用光ファイバ（５０）の前記計器（２０）側の端部に接続されると共に先端が前記計器（２０）内の照明が必要な被照明部に向けられ、前記第１の導光用光ファイバ（５０）内を伝送された照明光を前記被照明部に照射する第２の導光用光ファイバ（６０）と、
を備えたことを特徴とする計器用照明装置（１）。
【００４２】
［２］  前記灯火装置は車両（２）の前照灯（１０）であり、前記計器は前記車両（２）のインストルメントパネル（３）に配置される計器（２０）であることを特徴とする上記［１］に記載の計器用照明装置（１）。
【００４３】
［３］  前記第１の導光用光ファイバ（５０）は、前記灯火装置（１０）と前記計器（２０）との間に配索されるワイヤハーネス（５）に組み込まれていることを特徴とする上記［１］又は［２］に記載の計器用照明装置（１）。
【符号の説明】
【００４４】
１  計器用照明装置
２  車両
３  インストルメントパネル
５  ワイヤハーネス
６  保護チューブ
１０  前照灯（灯火装置）
１１  ヘッドランプバルブ（光源）
２０  計器
４０  受光部
５０  第１の導光用光ファイバ
６０  第２の導光用光ファイバ
【図１】
2015020577.tif 000003
【図２】
2015020577.tif 000004
【図３】
2015020577.tif 000005
【図４】
2015020577.tif 000006